(57)【特許請求の範囲】
【請求項１】
ヒーターおよび冷却機構の双方を有する押圧テーブルと、該押圧テーブルの上方に、該押圧テーブルに対してそれぞれ独立して接離自在に配設された複数の押圧ヘッドとを備えるワーク貼着装置を用いて、前記押圧テーブルと前記押圧ヘッドとにより押圧して、プレート上にワークを接着剤により貼着するワーク貼着方法であって、
あらかじめ所要温度にまで加熱したプレートを前記押圧テーブル上に搬入するか、もしくはプレートを前記押圧テーブル上に搬入して、該押圧テーブルにて所要温度にまで加熱する工程と、
所要温度にまで加熱された前記プレート上の所要位置に接着剤を塗布する工程と、
加熱されて溶融した接着剤上にワークを載置する工程と、
前記各押圧ヘッドを所要温度に加熱する工程と、
前記各押圧ヘッドを前記押圧テーブルに対して接近させ、前記各押圧ヘッドによりそれぞれ１枚ずつのワークを、各同一圧力により前記プレート上に所要時間押圧する工程と、
前記各押圧ヘッドによりワークを押圧した状態で、前記冷却機構により前記押圧テーブルおよび前記プレートを冷却し、前記接着剤を固化させてワークを前記プレート上に貼着する工程と、
前記各押圧ヘッドを前記押圧テーブルに対して離反させ、ワークが貼着された前記プレートを前記押圧テーブル上から搬出する工程を含み、
前記各押圧ヘッドによりワークを押圧してワークを前記プレート上に貼着する工程において、前記各押圧ヘッドの温度を検出して、各押圧ヘッドが所定の温度以下に低下したことを確認した後に各押圧ヘッドによる押圧を解除することを特徴とするワーク貼着方法。
【請求項２】
前記押圧テーブルとは別途設けた、ヒーターを有する加熱テーブルにより、前記プレートをあらかじめ加熱して前記押圧テーブルに搬入することを特徴とする請求項１記載のワーク貼着方法。
【請求項３】
前記各押圧ヘッドを前記押圧テーブルに接触させて所要温度にまで加熱することを特徴とする請求項１または２記載のワーク貼着方法。
【請求項４】
前記各押圧ヘッドを内蔵するヒーターにより所要温度まで加熱することを特徴とする請求項１〜３いずれか１項に記載のワーク貼着方法。
【請求項５】
前記各押圧ヘッドに、押圧ヘッドが球軸受を中心に回動自在に設けられた押圧ヘッドを用い、ワークの押圧時、前記押圧ヘッドを前記プレート面に追随するように回動させてワークを押圧することを特徴とする請求項１〜４いずれか１項に記載のワーク貼着方法。
【請求項６】
窒化物半導体層を形成したサファイア基板を、窒化物半導体層をプレート側に向けてプレートに貼着することを特徴とする請求項１〜５いずれか１項に記載のワーク貼着方法。
【請求項７】
押圧テーブルと、該押圧テーブルの上方に、該押圧テーブルに対してそれぞれ独立して接離自在に配設された複数の押圧ヘッドとを備え、前記押圧テーブルと前記押圧ヘッドとにより押圧して、プレート上にワークを接着剤により貼着するワーク貼着装置において、
前記押圧ヘッドは、それぞれ１枚ずつのワークを、各同一圧力により前記プレート上に押圧可能になっていて、
前記押圧テーブルは、ヒーターと冷却機構の双方を備え、
前記押圧ヘッドの温度を検出する温度検出部を備え、
前記押圧テーブルと前記押圧ヘッドとを加熱して、プレート上に塗布された接着剤を介してワークを押圧して接着剤を展延させ、しかる後、前記冷却機構により前記押圧テーブルおよび前記プレートを冷却することによって接着剤を固化させてワークを前記プレート上に貼着する際、前記温度検出部により前記押圧ヘッドの温度を検出して、押圧ヘッドが所定の温度以下に低下したことを確認した後に押圧ヘッドによる押圧を解除することを特徴とするワーク貼着装置。
【請求項８】
前記各押圧ヘッドは、共通のエア供給源に接続されていることを特徴とする請求項７記載のワーク貼着装置。
【請求項９】
前記温度検出部が、前記押圧ヘッドの、前記ワークを押圧する面に近接した部位の温度を検出することを特徴とする請求項７または８記載のワーク貼着装置。
【請求項１０】
前記押圧ヘッドを前記押圧テーブルに接触させて所要温度にまで加熱することを特徴とする請求項７〜９いずれか１項に記載のワーク貼着装置。
【請求項１１】
前記押圧ヘッドが、ヒーターおよび冷却機構の双方を有することを特徴とする請求項７〜１０いずれか１項に記載のワーク貼着装置。
【請求項１２】
前記押圧テーブルとは別途、ヒーターを有する加熱テーブルを有し、
該加熱テーブルによってプレートをあらかじめ加熱して前記押圧テーブルに搬入することを特徴とする請求項７〜１１いずれか１項に記載のワーク貼着装置。
【請求項１３】
前記押圧テーブルにおいて、前記冷却機構が、前記プレートが搬入される表面側に位置して内蔵されていることを特徴とする請求項７〜１２いずれか１項に記載のワーク貼着装置。
【請求項１４】
前記加熱テーブル上に搬入された前記プレートの温度を検出する温度検出部を有することを特徴とする請求項１２または１３記載のワーク貼着装置。
【請求項１５】
前記押圧テーブルおよび前記加熱テーブルの温度をそれぞれ検出する温度検出部を有することを特徴とする請求項７〜１４いずれか１項に記載のワーク貼着装置。
【発明の詳細な説明】
【技術分野】
【０００１】
本発明は、ワークを貼着したプレートを研磨装置に搬入し、研磨装置によりワークの研磨を行うための、該プレートにワークを貼着するワーク貼着方法およびワーク貼着装置に関する。
【背景技術】
【０００２】
ウェーハ等のワークの片面研磨を行う場合、所要複数枚のワークをプレートに貼着し、該プレートを、ワークの研磨面が定盤の研磨布側に向くようにして研磨装置の定盤上に搬入し、研磨液を供給しつつ定盤を回転してワークの研磨面を研磨するようにする。
この場合、プレートに複数枚のワークを貼着するには、特許文献１等に示す方法では次のようにしている。
まず、ヒーターを内蔵した加熱テーブルを所要温度にまで加熱しておき、この加熱テーブル上にプレートを搬入し、プレートを加熱する。
次いで、該プレート上の、各ワークを貼り付ける位置にそれぞれ接着剤を塗布する。
プレートの熱によって溶融した各接着剤上に１つずつワークを載置する。
次いで、加熱テーブルに隣接して設けられた、冷却機構を有する押圧テーブル上に、上記各ワークを各接着剤上に載置したプレートを搬入する。
押圧テーブルの上方に上下動自在に設けた押圧ヘッドを下降させ、押圧テーブルと押圧ヘッドとの間で複数枚のワークをプレート上に押圧し、接着剤を展延させると共に、押圧テーブルの冷却機構に冷却水を供給して、プレートおよび接着剤を冷却して、接着剤を固化して複数枚のワークをプレート上に貼着するようにしている。
【先行技術文献】
【特許文献】
【０００３】
【特許文献１】特開平５−８２４９３号公報
【発明の概要】
【発明が解決しようとする課題】
【０００４】
特許文献１に示される方法では、１枚のプレート上に所要複数枚のワークを接着剤を介して載置し、押圧ヘッドと押圧テーブルとで押圧してプレート上に複数枚のワークを一括して貼着するようにしている。
押圧ヘッドは、押圧テーブルに対して平行となるように押圧面があらかじめ調節される。
しかしながら、特許文献１に示されるようなワーク貼着方法では次のような課題が生じた。
すなわち、研磨すべき複数枚のワークには、準備段階で当然ながら厚さのばらつきが生じることは否めない。このような場合に、上記押圧ヘッドでワークをプレート面上に一括して押圧すると、押圧ヘッドの押圧面とプレート面（押圧テーブル面）との間隔は一定であるため、厚いワークの場合は接着剤のはみ出し量が多くなる状態で、すなわち接着剤の厚さが薄い状態で、逆に薄いワークの場合は、接着剤のはみ出し量が少ない状態で、すなわち接着剤の厚さが厚い状態でプレート上に貼着されることとなる。この状態で研磨機でワークの研磨を行うと、研磨後のワークの厚さのばらつきが全く解消されないという課題がある。
【０００５】
例えば、窒化物半導体層（ＧａＮなど）を形成したサファイア基板の貼着の場合、サファイア基板自体の厚さは約９００μｍと厚く、これをできるだけ薄く、例えば１００μｍ程度となる厚さまで研磨する。一方のサファイア基板の厚さが９００μｍ、他方のサファイア基板の厚さが９２０μｍとすると、これを８００μｍ研磨するとすれば、一方のサファイア基板の研磨後の厚さは１００μｍであり、他方のサファイア基板の研磨後の厚さは１２０μｍであり、一方と他方のサファイア基板の厚さのばらつきは解消されず、逆にサファイア基板の厚さのばらつき割合を助長させることとなる。
【０００６】
また、サファイア基板に窒化物半導体層（ＧａＮなど）をエピタキシャル成長させたワークの場合、熱膨張率の異なる２層からなる等の理由によって、サファイア基板側が凹となる反りが発生しやすいという事情がある。このサファイア基板を押圧ヘッドで押圧すると、反りが解消されるが、もともとのサファイア基板毎に厚さのばらつきがあると、各サファイア基板毎に反りの解消の度合いが相違し、厚さの薄いサファイア基板の場合には反りが残りやすいという課題がある。
【０００７】
本発明は、上記課題を解決すべくなされたものであり、その目的とするところは、研磨時、ワークを均一厚さに研磨することができるワーク貼着方法およびワーク貼着装置を提供することにある。
【課題を解決するための手段】
【０００８】
上記の目的を達成するため、本発明は次の構成を備える。
すなわち、本発明に係るワーク貼着方法は、ヒーターおよび冷却機構の双方を有する押圧テーブルと、該押圧テーブルの上方に、該押圧テーブルに対してそれぞれ独立して接離自在に配設された複数の押圧ヘッドとを備えるワーク貼着装置を用いて、前記押圧テーブルと前記押圧ヘッドとにより押圧して、プレート上にワークを接着剤により貼着するワーク貼着方法であって、あらかじめ所要温度にまで加熱したプレートを前記押圧テーブル上に搬入するか、もしくはプレートを前記押圧テーブル上に搬入して、該押圧テーブルにて所要温度にまで加熱する工程と、所要温度にまで加熱された前記プレート上の所要位置に接着剤を塗布する工程と、加熱されて溶融した接着剤上にワークを載置する工程と、前記各押圧ヘッドを所要温度に加熱する工程と、前記各押圧ヘッドを前記押圧テーブルに対して接近させ、前記各押圧ヘッドによりそれぞれ１枚ずつのワークを、各同一圧力により前記プレート上に所要時間押圧する工程と、前記各押圧ヘッドによりワークを押圧した状態で、前記冷却機構により前記押圧テーブルおよび前記プレートを冷却し、前記接着剤を固化させてワークを前記プレート上に貼着する工程と、前記各押圧ヘッドを前記押圧テーブルに対して離反させ、ワークが貼着された前記プレートを前記押圧テーブル上から搬出する工程を含み、前記各押圧ヘッドによりワークを押圧してワークを前記プレート上に貼着する工程において、前記各押圧ヘッドの温度を検出して、各押圧ヘッドが所定の温度以下に低下したことを確認した後に各押圧ヘッドによる押圧を解除することを特徴とする。
【００１１】
前記押圧テーブルとは別途設けた、ヒーターを有する加熱テーブルにより、前記プレートをあらかじめ加熱して前記押圧テーブルに搬入するようにすることができる。
また、前記各押圧ヘッドを前記押圧テーブルに接触させて所要温度にまで加熱することができる。
また、前記各押圧ヘッドを内蔵するヒーターにより所要温度まで加熱することができる。
また、前記各押圧ヘッドに、押圧ヘッドが球軸受を中心に回動自在に設けられた押圧ヘッドを用い、ワークの押圧時、前記押圧ヘッドを前記プレート面に追随するように回動させてワークを押圧するようにすることもできる。
また、窒化物半導体層を形成したサファイア基板を、窒化物半導体層をプレート側に向けてプレートに貼着するようにすることができる。
【００１２】
また本発明に係るワーク貼着装置は、押圧テーブルと、該押圧テーブルの上方に、該押圧テーブルに対してそれぞれ独立して接離自在に配設された複数の押圧ヘッドとを備え、前記押圧テーブルと前記押圧ヘッドとにより押圧して、プレート上にワークを接着剤により貼着するワーク貼着装置において、前記押圧ヘッドは、それぞれ１枚ずつのワークを、各同一圧力により前記プレート上に押圧可能になっていて、前記押圧テーブルは、ヒーターと冷却機構の双方を備え、前記押圧ヘッドの温度を検出する温度検出部を備え、前記押圧テーブルと前記押圧ヘッドとを加熱して、プレート上に塗布された接着剤を介してワークを押圧して接着剤を展延させ、しかる後、前記冷却機構により前記押圧テーブルおよび前記プレートを冷却することによって接着剤を固化させてワークを前記プレート上に貼着する際、前記温度検出部により前記押圧ヘッドの温度を検出して、押圧ヘッドが所定の温度以下に低下したことを確認した後に押圧ヘッドによる押圧を解除することを特徴とする。
【００１３】
前記各押圧ヘッドを、共通のエア供給源に接続することによって、ワークを、各同一圧力によりプレート上に押圧するようにすることができる。
【００１４】
前記温度検出部により、前記押圧ヘッドの、前記ワークを押圧する面に近接した部位の温度を検出するようにすると好適である。
前記押圧ヘッドを前記押圧テーブルに接触させて所要温度にまで加熱するようにすることができる。
前記押圧ヘッドに、ヒーターおよび冷却機構の双方を設け、押圧ヘッドを自身のヒーターおよび冷却機構により加熱、もしくは冷却するようにしてもよい。
【００１５】
また、前記押圧テーブルとは別途、ヒーターを有する加熱テーブルを設け、該加熱テーブルによってプレートをあらかじめ加熱して前記押圧テーブルに搬入するようにすることができる。
また、前記押圧テーブルにおいて、前記冷却機構を、前記プレートが搬入される表面側に位置して配置するようにすると好適である。
また、前記加熱テーブル上に搬入された前記プレートの温度を検出する温度検出部、前記押圧テーブルおよび前記加熱テーブルの温度をそれぞれ検出する温度検出部を設けるようにすることができる。
【発明の効果】
【００１６】
本発明によれば、各押圧ヘッドが各ワークを独立して、かつ同一圧力で押圧するので、ワークに厚さのばらつきがあっても、余分な接着剤をはみ出させつつ、接着剤が同一厚さとなるように各ワークを押圧し、ワークの貼着が行え、これにより、ワークの研磨を行う場合、ワークの厚さが均一となるように研磨を行うことができる。また、温度検出部により、押圧ヘッドの温度を検出して、押圧ヘッドが所要温度よりも低下した段階で終了させるようにすることで、接着剤を確実に固化させることができる。
【図面の簡単な説明】
【００１７】
【図１】ワーク貼着装置の正面図である。
【図２】押圧テーブルの断面説明図である。
【図３】プレートの説明図である。
【図４】第１のステージと第２のステージをそれぞれ１つずつ設けたワーク貼着装置の正面図である。
【図５】押圧ヘッドの他の実施の形態を示す説明断面図である。
【図６】ワーク貼着装置のさらに他の実施の形態を示す正面図である。
【発明を実施するための形態】
【００１８】
以下本発明の好適な実施の形態を添付図面に基づいて詳細に説明する。
本実施の形態に係るワーク貼着方法は、上記のように、押圧テーブルと、該押圧テーブルの上方に、該押圧テーブルに対してそれぞれ独立して接離自在に配設された複数の押圧ヘッドとを備えるワーク貼着装置を用いて、前記押圧テーブルと前記押圧ヘッドとにより押圧して、プレート上にワークを接着剤により貼着するワーク貼着方法であって、前記各押圧ヘッドによりそれぞれ１枚ずつのワークを、各同一圧力により前記プレート上に押圧して貼着することを特徴とする。
【００１９】
またこの場合に、プレートは、あらかじめ所要温度にまで加熱した後に、前記押圧テーブル上に搬入するか、もしくは前記押圧テーブル上に搬入して、該押圧テーブルにて所要温度にまで加熱する。
接着剤は、上記所要温度にまで加熱されたプレート上の所要位置に塗布する。
そして、ワークを、加熱されて溶融した接着剤上に載置する。
次いで、前記各押圧ヘッドを前記押圧テーブルに対して接近させ、前記各押圧ヘッドによりそれぞれ１枚ずつのワークを、各同一圧力により前記プレートに所要時間押圧する。
次いで、前記各押圧ヘッドによりワークを押圧した状態で冷却し、前記接着剤を固化させてワークを前記プレート上に貼着する。
しかる後、前記各押圧ヘッドを前記押圧テーブルに対して離反させ、ワークが貼着された前記プレートを前記押圧テーブル上から搬出することによって、プレートへのワークの貼着を完了する。
【００２０】
また、上記ワーク貼着方法と軌を一にするワーク貼着装置は、押圧テーブルと、該押圧テーブルの上方に、該押圧テーブルに対してそれぞれ独立して接離自在に配設された複数の押圧ヘッドとを備え、前記押圧テーブルと前記押圧ヘッドとにより押圧して、プレート上にワークを接着剤により貼着するワーク貼着装置において、前記押圧ヘッドは、前記押圧テーブルに対してそれぞれ独立して接離自在に配設された複数の押圧ヘッドに形成され、前記各押圧ヘッドによりそれぞれ１枚ずつのワークを、各同一圧力により前記プレート上に押圧可能になっていることを特徴とする。ワーク貼着装置については、後に詳しく説明する。
【００２１】
上記のように、本実施の形態では、１つのプレート上に複数枚のワークを貼着する場合に、押圧ヘッドを、貼着するワークの数だけの複数設け、各押圧ヘッドで独立してそれぞれ対応するワークを１つずつ押圧するのである。そしてその場合に、各押圧ヘッドによりそれぞれ１枚ずつのワークを、各同一圧力により前記プレート上に押圧するようにしてプレート上にワークを貼着するのである。このように各押圧ヘッドにより、各同一圧力により独立して各ワークを押圧することによって、所要量の接着剤をはみ出しつつ押圧して、各ワークにおける接着剤の厚さを同一とすることができる。すなわち、ワークの厚さにばらつきがあっても、各ワークにおける接着剤の厚さを同じにできることが理解されよう。
【００２２】
しかしながら、ワークに厚さのばらつきがあれば、プレートに貼着した際の、プレート面からの各ワークの高さにばらつきが生じることになる。
しかし、このワークを貼着したプレートを、研磨機の研磨定盤上にワークが研磨布側に向くように載置して、ワークの研磨を行う場合、高さの高いワークの方がそれだけ多く研磨されることから、最終的には研磨後のワークの厚さが均一となる。
【００２３】
前記したサファイア基板のように、反りが生じている場合にあっても、各サファイア基板は、各押圧ヘッドから同一の圧力によって押圧され、同一の程度に反りが解消される。この状態で研磨されることによって、また、サファイア基板自体に厚さのばらつきがあっても、上記のように、研磨量に差がでることから、最終的に、厚さや、反りの解消状態が均一な状態で研磨が可能となる。
【００２４】
ところで、接着剤には種々のものがあるが、一般的には、加熱することによって溶解し、冷却することによって固化するワックスが用いられる。
接着剤にこのワックスを用いるものにあっては、接着時、ワックスの加熱と冷却工程が必要となる。
このワックス（以下、接着剤として説明する）の加熱と冷却は、前記特許文献１と同様に行うことができる。
すなわち、まず、ヒーターを内蔵した加熱テーブルを所要温度にまで加熱しておき、この加熱テーブル上にプレートを搬入し、プレートを加熱する。
次いで、該プレート上の、各ワークを貼り付ける位置にそれぞれ接着剤を塗布する。
プレートの熱によって溶融した各接着剤上に１つずつワークを載置する。
次いで、加熱テーブルに隣接して設けられた、冷却機構を有する押圧テーブル上に、上記各ワークを各接着剤上に載置したプレートを搬入する。
押圧テーブルの上方に、各独立して上下動自在に複数設けた各押圧ヘッドを下降させ、各押圧テーブルと押圧ヘッドとの間で各ワークをプレート上に押圧し、接着剤を展延させると共に、押圧テーブルの冷却機構に冷却水を供給して、プレートおよび接着剤を冷却して、接着剤を固化して複数枚のワークをプレート上に貼着するようにすることができる。
【００２５】
ただし、上記の方法では、加熱テーブル上で加熱されたプレートを押圧テーブル上に搬入した際に、プレートの熱が押圧テーブルに奪われ、また押圧ヘッドがワークに当接した瞬間にも押圧ヘッドに熱が奪われ、さらにまた、この状態で、押圧テーブルに冷却水が供給される状況となるので、接着剤の温度が低下し、接着剤の種類によっては、接着剤が伸びきる前に接着剤が固化し、そのため、接着剤の厚さが均一とならない事態が生じるおそれがある。
【００２６】
以下では、上記おそれも解決した、さらに好適なワーク貼着方法およびワーク貼着装置について詳細に説明する。
図１はワーク貼着装置１０の正面図、図２は、押圧テーブル１８の断面説明図、図３はプレート２２の平面図である。
図１において、１２は、加熱テーブル１４を有する第１のステージ、１６ａ、１６ｂは、第１のステージ１２と隣接して設けられ、押圧テーブル１８を有する第２のステージである。
加熱テーブル１４は、第１のヒーター（図示せず）を内蔵し、基台２０上に支持部材２１を介して水平に固定されている。加熱テーブル１４上には、ワーク２３が貼着されるプレート２２が搬入される。
【００２７】
２４は位置決め用シリンダであり、加熱テーブル１４の下方に配置され、ロッドに連結された３本の位置決めピン２５を有する（図１では２本のみ図示）。位置決めピン２５は、加熱テーブル１４に設けられた貫通孔２６を上下方向に挿通して、加熱テーブル１４上表面に突出入するようになっている。プレート２２には、位置決めピン２５に対応して３個の透孔２７が設けられている（図３）。
プレート２２は、本実施の形態では人手により加熱テーブル１４上に搬入されるが、その際、位置決めピン２５が透孔２７内に進入するように載置することで、加熱テーブル１４上で位置決めされる。プレート２２上には、ワーク２３の貼付位置を示すマークが付されている。本実施の形態では、図３に示すように、マークとして、載置されるワーク２３の外周縁の外側に沿うように周溝２３ａを設けている。ワーク２３をこの周溝２３ａ内に納まるように載置することで、ワーク２３をプレート２２上の所要位置に配置できる。なお、周溝２３ａは、ワーク２３を貼着する際、はみ出した余分な接着剤が流れ込む溝としても機能する。
【００２８】
加熱テーブル１４には、第１のヒーターによって加熱される加熱テーブル１４の温度を検出する温度検出部（図示せず）が設けられている。この温度検出部によって検出される温度が、所定設定温度範囲内にあるように、制御部４５によって、第１のヒーターのオン、オフ制御がなされる。
また、加熱テーブル１４の上方には、赤外線温度センサー（温度検出部）２８が配置されている。赤外線温度センサー２８は、加熱テーブル１４上に載置されたプレート２２の表面温度を検出するようになっている。
【００２９】
第２のステージ１６ａ、１６ｂにおける押圧テーブル１８も、支持部材３０によって、基台２０上にそれぞれ水平に支持されている。押圧テーブル１８は、図２に示すように、第２のヒーター３１および冷却水が供給される冷却機構３２を有する。押圧テーブル１８における冷却水が流通するジャケット３２ａを、押圧テーブル１８上に搬入されるプレート２２の冷却が迅速になされるように、第２のヒーター３１よりも、押圧テーブル１８の表面側に近接位置して設けるようにすると好適である。
図１に、冷却機構３２における冷却水の回路が示されている。３６は、温度を調整した冷却水が供給され、貯留される水槽（図示せず）への接続口、３７は冷却水の往路、３８は復路で、冷却水は、押圧テーブル１８のジャケット３２ａ内を通過して排出口３９から排出される。なお、４０はドレインであり、図示しないバルブを開放することによって、回路中の冷却水を排出できるようになっている。
【００３０】
第２のステージ１６ａ、１６ｂにも、第１のステージ１２と同様に、位置決め用シリンダ２４、３本の位置決めピン２５を有する位置決め機構が設けられ、加熱テーブル１４から搬入されるプレート２２の位置決めができるようになっている。
また、押圧テーブル１８にも、第２のヒーター３１によって加熱される押圧テーブル１８の温度を検出する温度検出部（図示せず）が設けられている。この温度検出部によって検出される温度が、所定設定温度範囲内にあるように、制御部４５によって、第２のヒーター３１のオン、オフ制御がなされる。
【００３１】
押圧テーブル１８の上方には、押圧テーブル１８に対して独立して上下動（接離動）自在に複数の押圧ヘッド４２が設けられている。押圧ヘッド４２は、第２のステージ１６ａ側には３個、第２のステージ１６ｂ側には５個（図１には３個のみ図示）設けられている。すなわち、第２のステージ１６ａ側では、比較的に大きなワーク２３であって、１つのプレート２２に３枚のワーク２３を貼着できるようになっており、一方、第２のステージ１６ｂ側では、比較的に小さなワーク２３であって、１つのプレート２２に５枚のワーク２３を貼着できるようになっている。
【００３２】
複数の各押圧ヘッド４２は、それぞれ基台２０に支持されたエアシリンダ（駆動部）４４のロッド下端に取り付けられて上下駆動される。各押圧ヘッド４２は、押圧面が押圧テーブル１８に対して平行になるように調節してロッド下端に固定して設けてもよいし、ロッド下端に球軸受（図示せず）を介して、押圧テーブル１８の押圧面（ワーク２３の押圧面）の傾きに追随して回動するように設けてもよい。なお、押圧ヘッド４２の押圧面が押圧テーブル１８の押圧面に対して平行になるように調節するには、例えば、シート状のタクタイルセンサー（図示せず）あるいは感圧紙などを介在させて、押圧した際の圧力分布をみながら、押圧ヘッド４２の角度を調節するようにするとよい。
【００３３】
各押圧ヘッド４２は、加熱テーブル１４上で加熱され、所要位置に接着剤が塗布され、かつ該接着剤上にワーク２３が載置されて押圧テーブル１８上に搬入されたプレート２２上のワーク２３を、押圧テーブル１８との間で同一の圧力（押圧力）で押圧するようになっている。
上記のように、各押圧ヘッド４２により、同一の圧力で各ワーク２３を押圧するには、各エアシリンダ４４の上室を同一のエア圧力源（図示せず）に接続することによって行える。あるいは、各押圧ヘッド４２のエアシリンダ４４の上室をレギュレータ（図示せず）を介して異なるエア圧力源に接続して、レギュレータにより同一の圧力となるように調整してもよい。
各押圧ヘッド４２には、熱電対４６からなる温度検出部が設けられている。熱電対４６は、先端が押圧ヘッド４２の下部に至るようになっていて、押圧ヘッド４２の下部側（ワーク２３を押圧する面に近接した部位）の温度を検出できるようになっている。
【００３４】
本実施の形態におけるワーク貼着装置１０は上記のように構成されている。
続いて、貼着装置１０の動作と共に、本実施の形態におけるワーク貼着方法を説明する。
第１のステージ１２では、第１のヒーターに通電して、加熱テーブル１４を所要温度（例えば１２０〜１２５℃）になるように加温しておく。加熱テーブル１４の温度は温度検出部によって検出され、所要温度範囲に維持されるよう制御される。
次いで、この所要温度に加温されている加熱テーブル１４上に、プレート２２を、位置決めピン２５により位置決めして搬入し（本実施の形態では人手により搬入する）、加熱テーブル１４からの伝熱により所要温度（例えば１１０℃）まで加温する。このプレート２２の温度は、赤外線温度センサー２８によって検出される。
プレート２２が所要温度にまで加温されたら、プレート２２の所要位置（ワーク貼り付け位置）に所要量の接着剤を塗布する。接着剤の塗布は人手によって行うが、適宜、塗布機を用いて自動的に行ってもよい。プレート２２はあらかじめ所要温度にまで加熱されているので、塗布された接着剤は溶解する。
【００３５】
他方、第２のステージ１６ａ、１６ｂ側でも、第２のヒーター３１に通電し、押圧テーブル１８を所要温度（例えば１２０〜１２５℃）にまで加温しておく。押圧テーブル１８の温度も温度検出部によって検出され、所要温度範囲に維持されるよう制御される。なお、冷却機構３２には冷却水の供給は停止されていて、冷却水も加温される。このように、冷却水も加温されることで、冷却水からの伝熱により押圧テーブル１８は均一に加温される。
またその際、各押圧ヘッド４２を下降させて押圧テーブル１８に押圧ヘッド４２を接触させ、押圧テーブル１８からの伝熱により各押圧ヘッド４２を所要温度（例えば１１０℃）にまで加温しておく。押圧ヘッド４２の温度は熱電対４６によって検出される。
【００３６】
各押圧ヘッド４２の温度が所要温度にまで昇温したら、押圧ヘッド４２を押圧テーブル１８上から上昇させて離反させ、押圧テーブル１８上に、加熱テーブル１４上で加熱され、かつワーク２３が載置されたプレート２２を位置決めして搬入する。
次いで、各押圧ヘッド４２を下降して押圧テーブル１８に接近させ、所要温度に加熱されている押圧ヘッド４２と押圧テーブル１８とでプレート２２を介してワーク２３を所要時間（例えば１分）押圧する。押圧ヘッド４２およびプレート２２の双方が所要温度に加熱された状態でワーク２３が押圧されるので、接着剤が十分に伸び、均一厚さで展延される。特に本実施の形態の場合、前記したように、各押圧ヘッド４２は各ワーク２３を独立して、かつ同一圧力で押圧するので、ワーク２３に厚さのばらつきがあっても、余分な接着剤をはみ出させつつ、接着剤が同一厚さとなるように各ワーク２３を押圧する。
【００３７】
このように、ワークの厚さにばらつきがあっても、各ワークにおける接着剤の厚さを同じにしてワークの貼着が行える。これにより、前記したように、ワークの研磨を行う場合、ワークの厚さが均一となるように研磨を行うことができる。なお、押圧ヘッド４２を、球軸受を介して、押圧テーブル１８の押圧面（ワーク２３の押圧面）の傾きに追随して回動するように設けた場合には、ワーク２３が均一厚さでなく、テーパ状をなす場合にあっても、ワーク２３下面側をプレート２２面に対して平行となるようにして、接着剤の厚さを均一に接着でき、ワークの均一研磨が行える。
【００３８】
各押圧ヘッド４２により所要時間押圧された段階で、第２のヒーター３１への通電を停止すると共に、冷却機構３２に冷却水を供給して押圧テーブル１８を冷却し、さらに伝熱によりプレート２２および押圧ヘッド４２を冷却する。これにより、接着剤が固化され、ワーク２３がプレート２２上に貼着される。
この冷却工程で、押圧ヘッド４２の温度は、熱電対４６によって検出され、この押圧ヘッド４２の温度が所要温度（例えば３５℃）まで低下した時点で、押圧ヘッド４２による押圧を終了し、押圧ヘッド４２を上昇させ、押圧テーブル１８上からプレート２２を取り出してワーク２３の貼着を完了する。
【００３９】
押圧ヘッド４２によるワーク２３の押圧を、押圧時間だけで管理するようにしてもよいが、上記のように、押圧ヘッド４２の温度を検出して、押圧ヘッド４２が所要温度よりも低下した段階で終了させるようにすることで、接着剤を確実に固化させることができる。すなわち、押圧テーブル１８から一番遠いところの押圧ヘッド４２が接着剤の固化温度よりも低い温度にまで低下したのを検出して、押圧ヘッド４２による押圧を終了することで接着剤を確実に固化することができるのである。
なお、加熱テーブル１４、プレート２２、押圧テーブル１８、押圧ヘッド４２の加熱温度や冷却温度は上記に限られず、接着剤の種類等によって適宜選択されることはもちろんである。
また、上記実施の形態では、接着剤の塗布と、この塗布された接着剤上へのワーク２３の供給を、加熱テーブル１４上で行った。しかし、場合によっては、加熱テーブル１４ではプレート２２の加熱のみを行い、加熱されたプレート２２が押圧テーブル１８上に搬入された後に、接着剤の塗布と、ワーク２３の供給とを押圧テーブル１８上で行ってもよい。
【００４０】
本実施の形態では、ワークの種類はシリコンウェーハなど特に限定されるものではないが、窒化物半導体層（ＧａＮなど）を形成したサファイア基板やＳｉＣ基板の貼着の場合に特に好適である。
サファイア基板に窒化物半導体層（ＧａＮなど）をエピタキシャル成長させたワークの場合、熱膨張率の異なる２層からなる等の理由によって、反りが発生しやすいという事情がある。本実施の形態では、所定温度にまで昇温しているプレート２２と押圧ヘッド４２とで所定時間ワーク２３を押圧して、接着剤が溶融している状態で反りが解消されるまで押圧して、次いで、冷却する。そして、上記のように、押圧ヘッド４２の温度を検出して当該温度が所要温度以下になるまで押圧ヘッド４２によってワークを押圧することで、接着剤を完全に固化でき、反りが戻るようなことがなく、かつ均一厚さの接着剤で平坦精度よくワークの貼着が行えるのである。なお、この場合、サファイア基板を研磨することになるから、窒化物半導体層をプレート２２側に向けてプレート２２に貼着することはもちろんである。
【００４１】
なお、上記実施の形態では、第２ステージ１６を２つ設けたが、１つでも３つ以上の複数でもよい。また各ステージでの押圧ヘッド４２の数も特に限定されない。
また、各ステージでの、あるいはステージ間でのプレートの移動は、移動装置を設けて自動的に搬出入させるようにすることもできる。
図４は、第１のステージ１２、第２のステージ１６をそれぞれ１つずつ設けた実施の形態を示す。なお、各部材は図１に示すものと同じであるので、同一の符号を付し、その説明は省略する。
【００４２】
上記各実施の形態において、各押圧ヘッド４２を図５に示す実施の形態のものに変更することができる。図５はその押圧ヘッド４２の説明断面図である。
本実施の形態では、押圧ヘッド４２に、第３のヒーター４７と冷却機構４８とを設けている。第３のヒーター４７はフレキシブルなケーブル（図示せず）を介して電源に接続され、冷却機構４８もフレキシブルなパイプ（図示せず）を介して冷却水供給源に接続される。
本実施の形態では、各押圧ヘッド４２の加熱は第３のヒーター４７によって直接行えるのでよりスムーズに加熱することができる。また、接着剤の固化の際には、第３のヒーター４７への通電を停止し、冷却機構４８へ冷却水を供給することによって、よりスムーズに押圧ヘッド４２の冷却が行える。したがって、全体のタクトタイムの短縮ができる。この一連の制御も制御部４５によって行う。
なお、押圧ヘッド４２には、第３のヒーターのみ設けて、冷却機構４８は省略してもよい。
【００４３】
図６は、ワーク貼着装置１０のさらに他の実施の形態を示す正面図である。
図１に示すものと同一の部材は同一の符号を付し、その説明は省略する。
本実施の形態では、第１のステージ１２を省略し、第２のステージ１６のみとしている。第２のステージ１６における押圧テーブル１８には、図２に示すのと同様に、ヒーター３１と冷却機構３２の双方が設けられ、この第２のステージ１８上で、プレート２２の加熱からワーク２３の貼着までの全ての工程を行うようにしている。
【００４４】
以下、図６に示す貼着装置１０の動作と共に、ワーク貼着方法を説明する。
まず、押圧テーブル１８のヒーター３１に通電し、押圧テーブル１８を所要温度（例えば１２０〜１２５℃）にまで加熱する。
また、各押圧ヘッド４２を下降し、押圧テーブル１８に接触させて、押圧テーブル１８からの伝熱により各押圧ヘッド４２を所要温度（例えば１１０℃）にまで加熱する。
各押圧ヘッド４２が所要温度にまで加熱されたら、押圧ヘッド４２を上昇させ、押圧テーブル１８上を開放する。
【００４５】
次いで、押圧テーブル１８上にプレート２２を位置決めして搬入し、押圧テーブル１８からの伝熱によってプレート２２を所要温度（例えば１１０℃）にまで加熱する。このプレート２２の温度は、赤外線温度センサー（図示せず）によって検出するようにするとよい。
プレート２２が所要温度にまで加熱されたら、プレート２２の所要位置に接着剤を塗布し、溶融させる。
接着剤が溶融したら、接着剤上にワーク２３を載置する。
【００４６】
次いで、各押圧ヘッド４２を下降して押圧テーブル１８に接近させ、所要温度に加熱されている押圧ヘッド４２と押圧テーブル１８とでプレート２２を介してワーク２３を所要時間（例えば１分）押圧する。押圧ヘッド４２およびプレート２２の双方が所要温度に加熱された状態でワーク２３が押圧されるので、接着剤が十分に伸び、均一厚さで展延される。本実施の形態でも、各押圧ヘッド４２は各ワーク２３を独立して、かつ同一圧力で押圧するので、ワーク２３に厚さのばらつきがあっても、余分な接着剤をはみ出させつつ、接着剤が同一厚さとなるように各ワーク２３を押圧する。
このように、ワークの厚さにばらつきがあっても、各ワークにおける接着剤の厚さを同じにしてワークの貼着が行える。これにより、前記したように、ワークの研磨を行う場合、ワークの厚さが均一となるように研磨を行うことができる。
【００４７】
各押圧ヘッド４２により所要時間押圧された段階で、ヒーター３１への通電を停止すると共に、冷却機構３２に冷却水を供給して押圧テーブル１８を冷却し、さらに伝熱によりプレート２２および押圧ヘッド４２を冷却する。これにより、接着剤が固化され、ワーク２３がプレート２２上に貼着される。
この冷却工程で、各押圧ヘッド４２の温度は、熱電対４６によって検出され、この押圧ヘッド４２の温度が所要温度（例えば３５℃）まで低下した時点で、各押圧ヘッド４２による押圧を終了し、各押圧ヘッド４２を上昇させ、押圧テーブル１８上からプレート２２を取り出してワーク２３の貼着を完了する。
【００４８】
各押圧ヘッド４２によるワーク２３の押圧を、押圧時間だけで管理するようにしてもよいが、上記のように、押圧ヘッド４２の温度を検出して、押圧ヘッド４２が所要温度よりも低下した段階で終了させるようにすることで、接着剤を確実に固化させることができる。すなわち、押圧テーブル１８から一番遠いところの押圧ヘッド４２が接着剤の固化温度よりも低い温度にまで低下したのを検出して、押圧ヘッド４２による押圧を終了することで接着剤を確実に固化することができるのである。
【００４９】
本実施の形態においても、各押圧ヘッド４２に、図５に示すように、ヒーター４７と冷却機構４８とを設けてもよい。この場合には、押圧ヘッド４２の加熱はヒーター４７によって直接行えるのでよりスムーズに加熱することができる。また、接着剤の固化の際には、ヒーター４７への通電を停止し、冷却機構４８へ冷却水を供給することによって、よりスムーズに押圧ヘッド４２の冷却が行える。したがって、全体のタクトタイムの短縮ができる。
また、各押圧ヘッド４２を冷却する場合には、押圧ヘッド４２の温度を検出して押圧終了を決めるのではなく、プレート２２の温度を検出して決定してもよい。
なお、この場合にも、各押圧ヘッド４２には、第３のヒーターのみ設けて、冷却機構４８は省略してもよい。
【符号の説明】
【００５０】
１０  ワーク貼着装置、１２  第１のステージ、１４  加熱テーブル、１６ａ  １６ｂ  第２のステージ、１８  押圧テーブル、２０  基台、２１  支持部材、２２  プレート、２３  ワーク、２３ａ  周溝、２４  位置決め用シリンダ、２５  位置決めピン、２６  貫通孔、２７  透孔、２８  赤外線温度センサー（温度検出部）、３０  支持部材、３１  第２のヒーター、３２  冷却機構、３６  接続口、３７  往路、３８  復路、３９  排出口、４０  ドレイン、４２  押圧ヘッド、４４  シリンダ（駆動部）、４５  制御部、４６  熱電対（温度検出部）、４７  ヒーター、４８  冷却機構
【図１】
0005988192.tif 000002
【図２】
0005988192.tif 000003
【図３】
0005988192.tif 000004
【図４】
0005988192.tif 000005
【図５】
0005988192.tif 000006
【図６】
0005988192.tif 000007